(57)【要約】【課題】軒樋の意匠性を損なうことなく軒樋を接続でき、且つ、軒樋端部からの漏水を防止することのできる内継手を低コストで提供する。【解決手段】（イ）前記内継手本体２１の後壁板１３上端の長手方向Ｉに少なくとも２個のヒンジ部２１４，２１４が設けられ、（ロ）前記ヒンジ部２１４の内側の下端近傍に開口する横溝２１４ａが設けられると共に、前記ヒンジ部２１４の上側の外側近傍に開口する縦溝２１４ｂが設けられ、（ハ）前記抑え片２２における後壁片２２３の外側の上端近傍に長手方向Ｉに伸びる凹部２２３ａが設けられると共に、前記抑え片２２における長手方向Ｉの両端にヒンジ嵌合部２２４，２２４が設けられ、そして、（ニ）前記後耳把持片２４上端における長手方向Ｉの両端にヒンジ嵌合部２４２，２４２が設けられ、前記後耳把持片２４上端からその内側に曲げられた挿入片２４１が設けられ、かつ、前記後耳把持片２４下端からその内側に膨出した操作片２４３が設けられている。【選択図】図１
2008156989.tif 000002
【特許請求の範囲】
【請求項１】
（ａ）前壁板、該前壁板に対抗して設けられた後壁板、及び、該前壁板の下端と後壁板の下端とを連結する底板で構成された内継手本体と、（ｂ）前壁片、該前壁片に対抗して設けられた後壁片、及び、該前壁片と後壁片とを連結する連結板で構成された、前記内継手本体を軒樋に抑えるための、抑え片と、（ｃ）軒樋の後耳部を把持するための後耳把持片と、を有する内継手において、
（イ）前記内継手本体の後壁板上端の長手方向に少なくとも２個のヒンジ部が設けられ、
（ロ）前記ヒンジ部の内側の下端近傍に開口する横溝が設けられると共に、前記ヒンジ部の上側の外側近傍に開口する縦溝が設けられ、
（ハ）前記抑え片における後壁片の外側の上端近傍に長手方向に伸びる凹部が設けられると共に、前記抑え片における長手方向の両端にヒンジ嵌合部が設けられ、そして、
（ニ）前記後耳把持片上端における長手方向の両端にヒンジ嵌合部が設けられ、前記後耳把持片上端からその内側に曲げられた挿入片が設けられ、かつ、前記後耳把持片下端からその内側に膨出した操作片が設けられている
ことを特徴とする内継手。
【請求項２】
前記抑え片におけるヒンジ嵌合部が前記内継手本体のヒンジ部における横溝に嵌合され、前記抑え片における凹部に前記後耳把持片における挿入片が挿入され、そして、前記内継手本体のヒンジ部における縦溝に前記後耳把持片におけるヒンジ嵌合部が嵌合されていることを特徴とする請求項１に記載の内継手。
【請求項３】
前記抑え片の前壁片上面に前側目印が設けられていることを特徴とする請求項１又は２に記載の内継手。
【請求項４】
一対の軒樋の長手方向の端部同志が対向され、それらの軒樋の端部の内面に沿って内継手が装着された軒樋の接続構造において、請求項１〜３のいずれか１項に記載された内継手を有していることを特徴とする軒樋の接続構造。
【請求項５】
前記抑え片におけるヒンジ嵌合部が前記内継手本体のヒンジ部における横溝に嵌合され、前記抑え片における凹部に前記後耳把持片における挿入片が挿入され、かつ、前記内継手本体のヒンジ部における縦溝に前記後耳把持片におけるヒンジ嵌合部が嵌合されて、前記ヒンジ部を介在して内継手本体と抑え片及び後耳把持片とが連結され、そして、前記軒樋の後耳が前記抑え片の稼動によって該抑え片の操作片により係止されていることを特徴とする請求項４に記載の軒樋の接続構造。
【発明の詳細な説明】
【技術分野】
【０００１】
本発明は、断面外形が略コ字形で開口を上方に向けて軒先に設置される２本の軒樋を接続する内継手及びそれを有する軒樋の接続構造に関するものである。
【背景技術】
【０００２】
従来から、一対の軒樋を相互に接続するには、接続すべき軒樋の長手方向の端部同士を対向させ、それらの軒樋の端部の外面側に外継手を被嵌して、それらの軒樋を挟持することにより、軒樋を接続する軒樋の接続構造が提案されている。
【０００３】
しかしながら、従来の軒樋の接続構造においては、外継手が所々に見えるので、外観が悪くなる、という問題があった。軒樋の持つ美しい水平線は、住宅を彩る重要な要素として近年重視されるようになってきたが、このようなニーズに外継手で対応することは、非常に難しいことであるので、外継手を用いない軒樋接続構造が待ち望まれていた。外継手を用いることなく、内継手を用いた軒樋の接続構造としては、図６に示すように、軒樋ａの後耳部ｅと内継手ｂの後側壁ｃの上端とが把持具ｄを介して保持されており、軒樋ａの後耳部ｅは後側壁ｇの上端から後方もしくは前方に向けて膨出した係止突起部ｆが形成され、把持具ｄは係止突起部ｆを冠着する開口溝ｉが設けられ、該開口溝ｉに前記係止突起部ｆが冠着されて軒樋ａの後側壁ｇと開口溝ｉの溝縁との間に係合溝ｊが形成され、該係合溝ｊに内継手ｂの後側壁ｃの上端に形成された後耳係止部ｈが係合されたもの（特許文献１を参照。）が提案されている。
【特許文献１】特開２００４−１７６３７７号報
【発明の開示】
【発明が解決しようとする課題】
【０００４】
前記特許文献１に記載された軒樋の接続構造においては、軒樋の後耳部と内継手の後側壁の上端とが把持具を介して保持させるときに、軒先に取付けられた軒樋と鼻隠し板との間が狭い空間となるので、取り付け時に把持具が係合できないこと、所定の位置まで係合したと勘違いしてそのまま使われた場合には、内継手を係合させる際に把持具が外れて軒樋の端部から雨水が漏れる場合があること、等の問題があった。
【０００５】
本発明は、かかる問題を解決することを目的としている。
【０００６】
即ち、本発明は、軒樋の意匠性を損なうことなく軒樋を接続でき、且つ、軒樋端部からの漏水を防止することのできる内継手及びそれを有する軒樋の接続構造を低コストで提供することを目的としている。
【課題を解決するための手段】
【０００７】
請求項１に記載された発明は、（ａ）前壁板、該前壁板に対抗して設けられた後壁板、及び、該前壁板の下端と後壁板の下端とを連結する底板で構成された内継手本体と、（ｂ）前壁片、該前壁片に対抗して設けられた後壁片、及び、該前壁片と後壁片とを連結する連結板で構成された、前記内継手本体を軒樋に抑えるための、抑え片と、（ｃ）軒樋の後耳部を把持するための後耳把持片と、を有する内継手において、
（イ）前記内継手本体の後壁板上端の長手方向に少なくとも２個のヒンジ部が設けられ、
（ロ）前記ヒンジ部の内側の下端近傍に開口する横溝が設けられると共に、前記ヒンジ部の上側の外側近傍に開口する縦溝が設けられ、
（ハ）前記抑え片における後壁片の外側の上端近傍に長手方向に伸びる凹部が設けられると共に、前記抑え片における長手方向の両端にヒンジ嵌合部が設けられ、そして、
（ニ）前記後耳把持片上端における長手方向の両端にヒンジ嵌合部が設けられ、前記後耳把持片上端からその内側に曲げられた挿入片が設けられ、かつ、前記後耳把持片下端からその内側に膨出した操作片が設けられている
ことを特徴とする内継手である。
【０００８】
請求項２に記載された発明は、請求項１に記載された発明において、前記抑え片におけるヒンジ嵌合部が前記内継手本体のヒンジ部における横溝に嵌合され、前記抑え片における凹部に前記後耳把持片における挿入片が挿入され、そして、前記内継手本体のヒンジ部における縦溝に前記後耳把持片におけるヒンジ嵌合部が嵌合されていることを特徴とするものである。
【０００９】
請求項３に記載された発明は、請求項１又は２に記載された発明において、前記抑え片の前壁片上面に前側目印が設けられていることを特徴とするものである。
【００１０】
請求項４に記載された発明は、一対の軒樋の長手方向の端部同志が対向され、それらの軒樋の端部の内面に沿って内継手が装着された軒樋の接続構造において、請求項１〜３のいずれか１項に記載された内継手を有していることを特徴とする軒樋の接続構造である。
【００１１】
請求項５に記載された発明は、請求項４に記載された発明において、前記抑え片におけるヒンジ嵌合部が前記内継手本体のヒンジ部における横溝に嵌合され、前記抑え片における凹部に前記後耳把持片における挿入片が挿入され、かつ、前記内継手本体のヒンジ部における縦溝に前記後耳把持片におけるヒンジ嵌合部が嵌合されて、前記ヒンジ部を介在して内継手本体と抑え片及び後耳把持片とが連結され、そして、前記軒樋の後耳が前記抑え片の稼動によって該抑え片の操作片により係止されていることを特徴とするものである。
【発明の効果】
【００１２】
請求項１に記載された発明によれば、（ａ）前壁板、該前壁板に対抗して設けられた後壁板、及び、該前壁板の下端と後壁板の下端とを連結する底板で構成された内継手本体と、（ｂ）前壁片、該前壁片に対抗して設けられた後壁片、及び、該前壁片と後壁片とを連結する連結板で構成された、前記内継手本体を軒樋に抑えるための、抑え片と、（ｃ）軒樋の後耳部を把持するための後耳把持片と、を有する内継手において、（イ）前記内継手本体の後壁板上端の長手方向に少なくとも２個のヒンジ部が設けられ、（ロ）前記ヒンジ部の内側の下端近傍に開口する横溝が設けられると共に、前記ヒンジ部の上側の外側近傍に開口する縦溝が設けられ、（ハ）前記抑え片における後壁片の外側の上端近傍に長手方向に伸びる凹部が設けられると共に、前記抑え片における長手方向の両端にヒンジ嵌合部が設けられ、そして、（ニ）前記後耳把持片上端における長手方向の両端にヒンジ嵌合部が設けられ、前記後耳把持片上端からその内側に曲げられた挿入片が設けられ、かつ、前記後耳把持片下端からその内側に膨出した操作片が設けられているので、軒樋の意匠性を損なうことなく軒樋を接続でき、且つ、軒樋端部からの漏水を防止することのできる内継手を低コストで提供することができる。
【００１３】
請求項２に記載された発明によれば、前記抑え片におけるヒンジ嵌合部が前記内継手本体のヒンジ部における横溝に嵌合され、前記抑え片における凹部に前記後耳把持片における挿入片が挿入され、そして、前記内継手本体のヒンジ部における縦溝に前記後耳把持片におけるヒンジ嵌合部が嵌合されているので、軒樋と内継手とがより確実に接続され、そのために、積雪、台風等による外力が軒樋に掛かっても、内継手が軒樋から外れることがない。
【００１４】
請求項３に記載された発明によれば、前記抑え片の前壁片上面に前側目印が設けられているので、この目印が一対の軒樋の端部に内継手を取付ける際の範囲を示すものとなる。
【００１５】
請求項４に記載された発明によれば、一対の軒樋の長手方向の端部同志が対向され、それらの軒樋の端部の内面に沿って内継手が装着された軒樋の接続構造において、請求項１〜３のいずれか１項に記載された内継手を有しているので、軒樋の意匠性を損なうことなく軒樋を接続でき、且つ、軒樋端部からの漏水を防止することのできる軒樋の接続構造を低コストで提供することができる。
【００１６】
請求項５に記載された発明によれば、前記抑え片におけるヒンジ嵌合部が前記内継手本体のヒンジ部における横溝に嵌合され、前記抑え片における凹部に前記後耳把持片における挿入片が挿入され、かつ、前記内継手本体のヒンジ部における縦溝に前記後耳把持片におけるヒンジ嵌合部が嵌合されて、前記ヒンジ部を介在して内継手本体と抑え片及び後耳把持片とが連結され、そして、前記軒樋の後耳が前記抑え片の稼動によって該抑え片の操作片により係止されているので、軒樋と内継手とが確実に接続され、そのために、積雪、台風等による外力が軒樋に掛かっても、内継手が軒樋から外れることがない。
【発明を実施するための最良の形態】
【００１７】
以下、本発明の実施の形態を図面を用いて説明する。図１は、本発明の一実施形態を示す内継手の斜視図である。図２は、本発明の一実施形態を示す内継手の分解斜視図である。図３は、本発明の一実施形態を示す軒樋の接続構造の斜視図である。図４は、図３におけるＡ−Ａ断面図である。図５は、図４の部分拡大図である。
【００１８】
図１〜５に示されているように、内継手２は、（ａ）前壁板２１２、該前壁板２１２に対抗して設けられた後壁板２１３、及び、該前壁板２１２の下端と後壁板２１３の下端とを連結する底板２１１で構成された内継手本体２１と、（ｂ）前壁片２２２、該前壁片２２２に対抗して設けられた後壁片２２３、該前壁片２２２と後壁片２２３とを連結する連結板２２１で構成された、前記内継手本体２１を軒樋１に抑えるための、抑え片２２と、（ｃ）軒樋１の後耳部１５を把持するための後耳把持片２４と、を有している。そして、前記内継手２においては、（イ）前記内継手本体２１の後壁板１３上端の長手方向Ｉに少なくとも２個のヒンジ部２１４，２１４が設けられ、（ロ）前記ヒンジ部２１４の内側の下端近傍に開口する横溝２１４ａが設けられると共に、前記ヒンジ部２１４の上側の外側近傍に開口する縦溝２１４ｂが設けられ、（ハ）前記抑え片２２における後壁片２２３の外側の上端近傍に長手方向Ｉに伸びる凹部２２３ａが設けられると共に、前記抑え片２２における長手方向Ｉの両端にヒンジ嵌合部２２４，２２４が設けられ、そして、（ニ）前記後耳把持片２４上端における長手方向Ｉの両端にヒンジ嵌合部２４２，２４２が設けられ、前記後耳把持片２４上端からその内側に曲げられた挿入片２４１が設けられ、かつ、前記後耳把持片２４下端からその内側に膨出した操作片２４３が設けられている。
【００１９】
本発明の内継手２は、後耳抱持部２１６の際に少なくとも２個のヒンジ部２１４を形成して、該ヒンジ部２１４を介在して内継手本体２１と抑え片２２、及び後耳把持片２４とが連結されているので、抑え片２２の前壁片２２２上端部と軒樋１の前耳部係合溝１４１との係合、内継手本体２１の前壁段部２１２ａと抑え片２２の前壁片２２２の下端との係合、後耳把持片２４と軒樋１の後耳部１５との係合により、例えば、積雪、台風等による外力が軒樋１に掛かった際に、内継手２が外れることなく非常に堅固に軒樋１，１を接続できる。後耳把持片２４には、後耳部１５を容易に嵌入できるよう操作片２４３を設けている。
【００２０】
このように、（ａ）前壁板２１２、該前壁板２１２に対抗して設けられた後壁板２１３、及び、該前壁板２１２の下端と後壁板２１３の下端とを連結する底板２１１で構成された内継手本体２１と、（ｂ）前壁片２２２、該前壁片２２２に対抗して設けられた後壁片２２３、該前壁片２２２と後壁片２２３とを連結する連結板２２１で構成された、前記内継手本体２１を軒樋１に抑えるための、抑え片２２と、（ｃ）軒樋１の後耳部１５を把持するための後耳把持片２４と、を有する内継手において、（イ）前記内継手本体２１の後壁板１３上端の長手方向Ｉに少なくとも２個のヒンジ部２１４，２１４が設けられ、（ロ）前記ヒンジ部２１４の内側の下端近傍に開口する横溝２１４ａが設けられると共に、前記ヒンジ部２１４の上側の外側近傍に開口する縦溝２１４ｂが設けられ、（ハ）前記抑え片２２における後壁片２２３の外側の上端近傍に長手方向Ｉに伸びる凹部２２３ａが設けられると共に、前記抑え片２２における長手方向Ｉの両端にヒンジ嵌合部２２４，２２４が設けられ、そして、（ニ）前記後耳把持片２４上端における長手方向Ｉの両端にヒンジ嵌合部２４２，２４２が設けられ、前記後耳把持片２４上端からその内側に曲げられた挿入片２４１が設けられ、かつ、前記後耳把持片２４下端からその内側に膨出した操作片２４３が設けられていると、軒樋の意匠性を損なうことなく軒樋を接続でき、且つ、軒樋端部からの漏水を防止することのできる内継手を低コストで提供することができる。
【００２１】
本発明においては、前記抑え片２２におけるヒンジ嵌合部２２４，２２４は前記内継手本体２１のヒンジ部２１４，２１４における横溝２１４ａ，２１４ａに嵌合され、前記抑え片２２における凹部２２３ａに前記後耳把持片２４における挿入片２４１は挿入され、そして、前記内継手本体２１のヒンジ部２１４，２１４における縦溝２１４ｂ、２１４ｂに前記後耳把持片２４におけるヒンジ嵌合部２４２，２４２は嵌合されている。
【００２２】
このように、前記抑え片２２におけるヒンジ嵌合部２２４，２２４が前記内継手本体２１のヒンジ部２１４，２１４における横溝２１４ａ，２１４ａに嵌合され、前記抑え片２２における凹部２２３ａに前記後耳把持片２４における挿入片２４１が挿入され、そして、前記内継手本体２１のヒンジ部２１４，２１４における縦溝２１４ｂ，２１４ｂに前記後耳把持片２４におけるヒンジ嵌合部２４２，２４２が嵌合されていると、軒樋１と内継手２とが確実に接続され、そのために、積雪、台風等による外力が軒樋１に掛かっても、内継手２が軒樋から外れることがない。
【００２３】
本発明においては、前記内継手２は、内継手本体２１と抑え片２２、及び、後耳把持片２４で構成されているが、その外面形状は、軒樋１の内面形状とほぼ合致する形状となっている。内継手本体２１は、平坦な底板２１１と、この底板２１１の両側部から立設された前壁板２１２、及び、後壁板２１３とで構成されているが、その形状は、全体として溝形状となっている。内継手本体２１の前壁板２１２は、底板２１１から外側に向けて若干傾斜して形成され、その途中で、段部が前方に若干膨出して形成されている。内継手本体２１の後壁板２１３は、底板２１１に対して略直角に形成されている。
【００２４】
前記抑え片２２においては、前壁片２２２と後壁片２２３とが、連結板２２１で連結され、その後壁片２２３は、後耳把持片２４で係合するよう構成されている。そして、前記内継手２は、内継手本体２１の後壁板２１３の上部にあるヒンジ部の横溝２１４ａと、抑え片２２のヒンジ嵌合部２２４とを回動可能に係合させ、且つ、内継手本体２１の後壁板２１３の上部にあるヒンジ部の縦溝２１４ｂと、抑え片２２の凹部２２３ａと、後耳把持片２４のヒンジ嵌合部２４２とを回動可能に係合させる。
【００２５】
前記内継手２で軒樋１、１を接続するには、内継手本体２１の外周面に必要に応じて接着剤を塗布して、後耳把持片２４を内継手本体２１に係合させて、軒樋１、１の後耳部１５に嵌着して、内継手本体２１を軒樋１、１の内周面に合わせる。次ぎに、抑え片２２のヒンジ嵌合部２２４を内継手本体２１のヒンジ部の横溝２１４ａに嵌着させて、抑え片２２の前壁片２２２を下向きに可動して、前壁片２２２の下端が内継手本体２１の前壁段部２１２ａに係止する。これにより内継手本体２１の底板２１１を軒樋１内面に突っ張った状態に保持させて、軒樋１内面に密着した後、抑え片２２の前壁片２２２上端部を軒樋１の前耳部係合溝１４１に係合される。内継手本体２１の前壁板２１２先端は、抑え片２２の可動を円滑にするよう略Ｒに形成されている。
【００２６】
前記抑え片２２の前壁片２２２上面には、前側目印２３が設けられていてもよい。前側目印２３は、内継手２の軒樋長手方向Ｉについて略中央に、例えば、リブによって形成される。前側目印２３は範囲を示す為に２本のラインによって形成される。このように、前側目印２３が設けられていると、この目印が一対の軒樋１，１の端部に内継手を取付ける際の範囲を示すものとなる。
【００２７】
図３〜５に示されているように、本発明の軒樋の接続構造３は、一対の軒樋１，１の長手方向の端部同志が対向され、それらの軒樋１，１の端部の内面に沿って内継手２が装着されたものとなっている。そして、前記軒樋１，１の接続構造においては、請求項１〜３のいずれか１項に記載された内継手を有している。このように、請求項１〜３のいずれか１項に記載された内継手を有していると、軒樋１の意匠性を損なうことなく軒樋１，１を接続でき、且つ、軒樋１，１の端部からの漏水を防止することのできる軒樋の接続構造３を低コストで提供することができる。
【００２８】
本発明においては、前記抑え片２２におけるヒンジ嵌合部２２４，２２４は前記内継手本体２１のヒンジ部２１４，２１４における横溝２１４ａ，２１４ａに嵌合され、前記抑え片２２における凹部２２３ａに前記後耳把持片２４における挿入片２４１は挿入され、かつ、前記内継手本体２１のヒンジ部２１４，２１４における縦溝２１４ｂ、２１４ｂに前記後耳把持片２４におけるヒンジ嵌合部２４２，２４２は嵌合されて、前記ヒンジ部２１４，２１４を介在して内継手本体２１と抑え片２２及び後耳把持片２４とが連結され、そして、前記軒樋１の後耳部１５が前記抑え片２２の稼動によって該抑え片２２の操作片２４３により係止されているので、軒樋１と内継手２とが確実に接続され、そのために、積雪、台風等による外力が軒樋１に掛かっても、内継手２が軒樋から外れることがない。
【００２９】
図３に示されているように、本発明の軒樋の接続構造３は、一対の軒樋１，１の長手方向Ｉの端部同志を対向させて、軒樋１，１の端部間の内面に沿って内継手２が装着されたたものとなっているが、その対向した軒樋１，１の間に跨がって軒樋１，１の内周面に沿うように内継手２が設けられている。
【００３０】
本発明の軒樋１及び内継手２の材質としては、特に限定されるものではないが、合成樹脂建材として従来公知の合成樹脂を適宜選択して採用でき、例えば、硬質塩化ビニル樹脂、アクリル樹脂、ポリカーボネイト樹脂、ＡＥＳ樹脂を単独に使用してもよく、或いは、これらの材質を適宜組み合わせて使用してもよい。
【００３１】
前記軒樋１は、合成樹脂の押出成形によって成形されるが、図３〜５に示すように、樋本体部１が、平坦な底板１１の前側部から前側壁１２が立設され、且つ、底板１１の後側部から後側壁１３が立設された溝形断面に形成されている。前側壁１２は、外側に向けて段部が形成されるとともに若干膨出して形成され、そして、前記後側壁１３は底板１１に対して略直角に形成されている。また、前記前側壁１２の上端には、前耳部１４が形成されており、この前耳部１４は内面側に開口した係合溝１４１が形成されている。この係合溝１４１の開口部上縁には係止爪１４２が下向きに形成されている。更に、後側壁１３の上端には後耳部１５が形成されている。
【図面の簡単な説明】
【００３２】
【図１】本発明の一実施形態を示す内継手の斜視図である。
【図２】本発明の一実施形態を示す内継手の分解斜視図である。
【図３】本発明の一実施形態を示す軒樋の接続構造の斜視図である。
【図４】図３におけるＡ−Ａ断面図である。
【図５】図４の部分拡大図である。
【図６】従来の軒樋の接続構造の側面図である。
【符号の説明】
【００３３】
１  軒樋
１１  底板
１２  前側壁
１３  後側壁
１４  前耳部
１４１  係合溝
１４２  係止爪
１５  後耳部
２  内継手
２１  内継手本体
２１１  底板
２１２  前壁板
２１２ａ  前壁段部
２１３  後壁板
２１４  ヒンジ部
２１４ａ  横溝
２１４ｂ  縦溝
２１６  後耳抱持部
２２  抑え片
２２１  連結板
２２２  前壁片
２２２ａ  前壁片上面
２２３  後壁片
２２３ａ  凹部
２２４  ヒンジ嵌合部
２３  前側目印
２４  後耳把持片
２４１  挿入片
２４２  ヒンジ嵌合部
２４３  操作片
【図１】
2008156989.tif 000003
【図２】
2008156989.tif 000004
【図３】
2008156989.tif 000005
【図４】
2008156989.tif 000006
【図５】
2008156989.tif 000007
【図６】
2008156989.tif 000008